(57)【要約】【課題】  インターフェースを介して外部接続された再生装置からストリームデータを転送させて再生出力を行わせるＡＶ装置において、再生装置側のストリームデータの管理に干渉することなくブックマーク機能を設けることにある。【解決手段】  ユーザによりブックマーク設定の操作が行われた場合に、現在再生しているコンテンツの映像音声データが記録されている再生装置の識別情報、当該コンテンツの識別情報、現在の再生位置を示す位置情報とを含んだブックマーク情報を生成して記憶手段に格納する。また、ユーザによりブックマーク表示の操作が行われた場合に、記憶手段に格納されているブックマーク情報を読み出してブックマークの一覧表示を行い、この一覧表示の中から１つのブックマークの再生が選択された場合に、当該ブックマークに対応するブックマーク情報に基づいて当該ブックマーク情報に示された再生装置に、当該ブックマーク情報に示されたコンテンツを、当該ブックマーク情報に示された再生位置から再生するようにコマンド送信する。【選択図】        図３
2006013935.tif 000002
【特許請求の範囲】
【請求項１】
映像データと音声データとを含むストリームデータの送受信が可能なインターフェースを備え、このインターフェースを介して外部接続された再生装置からストリームデータを転送させて再生出力させることが可能なＡＶ装置であって、
当該ＡＶ装置に対する指令を受け付ける操作入力手段と、
前記操作入力手段を介して第１の指令が入力された場合に、現在再生しているコンテンツのストリームデータが記録されている再生装置の識別情報、当該コンテンツの識別情報、現在の再生位置を示す位置情報、この再生位置近傍のフレームの画像データとを含んだブックマーク情報を生成する情報生成機能と、
この情報生成機能により生成されたブックマーク情報を格納する記憶手段と、
前記操作入力手段を介して第２の指令が入力された場合に、前記記憶手段に格納されている１個又は複数のブックマーク情報の各々について当該ブックマーク情報に示された再生装置が動作可能かの問い合わせと、当該ブックマーク情報に示されたコンテンツが保存されているか否かの問い合わせとを外部に行う第１の制御機能と、
前記第１の制御機能の問い合わせ処理の後に、前記記憶手段に格納されている１個又は複数のブックマーク情報に基づき、ブックマークに前記画像データに基づく画像表示を対応づけて一覧表示を行わせる一覧表示制御機能と、
前記操作入力手段により前記一覧表示の中から１つのブックマークが選択されて再生の指令がなされた場合に、当該ブックマークに対応する前記ブックマーク情報に示された再生装置に、当該ブックマーク情報に示されたコンテンツを、当該ブックマーク情報に示された再生位置から再生するようにコマンドを発行する第２の制御機能とを備え、
前記一覧表示制御機能は、ブックマークに対応する再生装置が動作可能でない場合、或いは、ブックマークに対応するコンテンツが保存されていない場合に、前記一覧表示にて当該ブックマークが再生不可能であることを示す表示を合わせて行うことを特徴とするＡＶ装置。
【請求項２】
映像データと音声データを含むストリームデータの送受信が可能なインターフェースを備え、このインターフェースを介して外部接続された再生装置からストリームデータを転送させて再生出力させることが可能なＡＶ装置であって、
当該ＡＶ装置に対する指令を受け付ける操作入力手段と、
前記操作入力手段を介して第１の指令が入力された場合に、現在再生しているコンテンツのストリームデータが記録されている再生装置の識別情報、当該コンテンツの識別情報、現在の再生位置を示す位置情報とを含んだブックマーク情報を生成する情報生成機能と、
この情報生成機能により生成されたブックマーク情報を格納する記憶手段と、
前記操作入力手段を介して第２の指令が入力された場合に、前記記憶手段に格納されているブックマーク情報を読み出してブックマークの一覧表示を行う一覧表示制御機能と、
前記操作入力手段を介して前記一覧表示の中から１つのブックマークが選択されて再生の指令がなされた場合に、当該ブックマークに対応する前記ブックマーク情報に示される再生装置に、当該ブックマーク情報に示されるコンテンツを、当該ブックマーク情報に示される再生位置から再生するようにコマンド発行を行う制御機能と、
を備えていることを特徴とするＡＶ装置。
【請求項３】
前記ブックマーク情報には、ブックマーク位置近傍のフレームの画像データが含まれ、
前記ブックマークの一覧表示には、前記画像データに基づく画像がブックマークに対応づけられて表示出力されるように構成されていることを特徴とする請求項２記載のＡＶ装置。
【請求項４】
前記ブックマークの一覧表示の際に、前記記憶手段に格納されている１個又は複数のブックマーク情報の各々について当該ブックマーク情報に示された再生装置が動作可能か外部に問い合わせを行う制御機能を備え、
前記一覧表示制御機能は、ブックマークに対応する再生装置が動作可能でない場合に、前記一覧表示において当該ブックマークが再生不可能であることを示す表示を行うように構成されていることを特徴とする請求項２〜３の何れかに記載のＡＶ装置。
【請求項５】
前記ブックマークの一覧表示の際に、前記記憶手段に格納されている１個又は複数のブックマーク情報の各々について当該ブックマーク情報に示されたコンテンツが保存されているか否か外部に問い合わせを行う制御機能を備え、
前記一覧表示制御機能は、ブックマークに対応するコンテンツが保存されていない場合に、前記一覧表示において当該ブックマークが再生不可能であることを示す表示を行うように構成されていることを特徴とする請求項２〜４の何れかに記載のＡＶ装置。
【発明の詳細な説明】
【技術分野】
【０００１】
この発明は、例えばＩＥＥＥ１３９４などのインターフェースを備え、外部接続されたた再生機器からストリームデータを転送させて再生出力させることが可能なＡＶ（オーディオビジュアル）装置に関する。
【背景技術】
【０００２】
従来、ＨＤＤ（ハードディスク）レコーダなどデジタルデータで放送番組の録画を行う録画再生装置においては、番組の再生中にその再生位置をブックマークとして記録するブックマーク機能を備えたものがある。このブックマーク機能により、ユーザは所望の再生位置をレコーダに記録させておき、後にそのブックマークを検索して、その再生位置からすぐに再生を開始させることが出来る。
【０００３】
また、このブックマーク機能を拡張して、インターネット配信されるコンテンツの再生中にブックマークを付けたり、或いは、このブックマークのリストを他の再生装置に転送できるようにした提案もなされている（特許文献１）。
【特許文献１】特開２００３−１３２０９１号公報
【発明の開示】
【発明が解決しようとする課題】
【０００４】
近年、ＩＥＥＥ１３９４インターフェースを介して複数のＡＶ機器を接続してなるＡＶシステムの利用が図られている。このようなＡＶシステムでは、例えば、受信した放送番組を録画再生するＨＤＤレコーダや、他の機器で受信した放送番組の録画再生を専用に行うＡＶ−ＨＤＤなどと呼ばれる録画再生装置、並びに、映像出力や外部接続機器のコントロールを行うデジタルテレビなどをネットワーク接続し、デジタルテレビからのコントロールに基づき、ＨＤＤレコーダやＡＶ−ＨＤＤに録画されたストリームデータをデジタルテレビに転送させ、このデジタルテレビで再生出力することが出来る。
【０００５】
ところで、外部接続された録画再生装置からストリームデータを転送させて番組の視聴を行うシステムであっても、上述したブックマーク機能が使えると大変便利である。
【０００６】
しかしながら、従来、ストリームデータを記録再生する装置と、このストリームデータを受けて表示出力の制御を行うＡＶ装置（ディスプレイを有した装置であっても良いし外部のディスプレイに映像出力させる装置であっても良い）とが別個に設けられているＡＶシステムにあっては、表示出力の制御を行う装置側でブックマーク機能を備えるものは無かった。
【０００７】
このようなＡＶシステムにおいて何ら工夫もなくブックマーク機能を導入しようとすると、録画再生装置側のストリームデータの管理と、表示出力の制御を行うＡＶ装置側のブックマークに係るストリームデータの管理とが、互いに干渉し、互いの処理が混乱してしまうという課題があった。
【０００８】
この発明の目的は、インターフェースを介して外部接続された録画再生装置からストリームデータを転送させて再生出力を行わせるＡＶ装置において、録画再生装置側のストリームデータの管理に干渉することなくブックマーク機能を設けることにある。
【課題を解決するための手段】
【０００９】
本発明は、上記目的を達成するため、映像データと音声データを含むストリームデータの送受信が可能なインターフェースを備え、このインターフェースを介して外部接続された再生装置からストリームデータを転送させて再生出力させることが可能なＡＶ装置であって、当該ＡＶ装置に対する指令を受け付ける操作入力手段と、前記操作入力手段を介して第１の指令が入力された場合に、現在再生しているコンテンツのストリームデータが記録されている再生装置の識別情報、当該コンテンツの識別情報、現在の再生位置を示す位置情報とを含んだブックマーク情報を生成する情報生成機能と、この情報生成機能により生成されたブックマーク情報を格納する記憶手段と、前記操作入力手段を介して第２の指令が入力された場合に、前記記憶手段に格納されているブックマーク情報を読み出してブックマークの一覧表示を行う一覧表示制御機能と、前記操作入力手段を介して前記一覧表示の中から１つのブックマークが選択されて再生の指令がなされた場合に、当該ブックマークに対応する前記ブックマーク情報に示される再生装置に、当該ブックマーク情報に示されるコンテンツを、当該ブックマーク情報に示される再生位置から再生するようにコマンド発行を行う制御機能と、を備えた構成とした。
【００１０】
このような手段によれば、外部接続されている再生装置（例えばＨＤＤレコーダやＡＶ−ＨＤＤなど）に格納されているストリームデータであっても、その再生中にブックマークを設定して後にこのブックマークの箇所を容易に検索して直ちにそこから再生を行うことが出来る。
【００１１】
さらに、ブックマーク管理に必要なデータが、再生装置側でなく、再生出力の制御を行うＡＶ装置側に記録されるとともに、ブックマークの設定が再生装置のストリームデータの管理に何ら干渉をしないので、再生装置内でのストリームデータの管理と、ＡＶ装置内でのブックマーク管理とがそれぞれ独立して行え、両者の処理が混乱することもない。
【００１２】
望ましくは、前記ブックマーク情報には、ブックマーク位置近傍のフレームの画像データが含まれ、前記ブックマークの一覧表示には、前記画像データに基づく画像がブックマークに対応づけられて表示出力されるように構成すると良い。
【００１３】
これにより、ユーザはブックマークを設定した番組やその再生位置を視覚的に認識できて便利である。
【００１４】
さらに望ましくは、前記ブックマークの一覧表示の際に、前記記憶手段に格納されている１個又は複数のブックマーク情報の各々について当該ブックマーク情報に示された再生装置が動作可能か外部に問い合わせを行う制御機能を備え、前記一覧表示制御機能は、ブックマークに対応する再生装置が動作可能でない場合に、前記一覧表示において当該ブックマークが再生不可能であることを示す表示を行うように構成すると良い。
【００１５】
この構成によれは、例えば、ブックマークを設定したコンテンツが記録されている再生装置がネットワークから外されていたりして、すぐに再生できない場合に、そのことが一覧表示を見てすぐ認識できるのでより便利である。
【００１６】
また望ましくは、前記ブックマークの一覧表示の際に、前記記憶手段に格納されている１個又は複数のブックマーク情報の各々について当該ブックマーク情報に示されたコンテンツが保存されているか否か外部に問い合わせを行う制御機能を備え、前記一覧表示制御機能は、ブックマークに対応するコンテンツが保存されていない場合に、前記一覧表示において当該ブックマークが再生不可能であることを示す表示を行うように構成すると良い。
【００１７】
この構成によれば、例えば、ブックマークを設定したコンテンツが再生装置側で削除されていた場合に、そのことが一覧表示を見てすぐに認識できるのでより便利である。なお、再生装置がネットワークから外されている等で再生不可能な場合と、データ削除により再生不可能な場合とで、ブックマークの一覧表示中、異なる態様で表示させ、両者を区別可能としても良い。
【発明の効果】
【００１８】
以上説明したように、本発明に従うと、コンテンツのストリームデータが外部の再生装置に格納されている場合でも、その再生中にブックマークの設定を行い、また、ブックマークの箇所から容易に再生を開始させることが出来るという効果がある。
【００１９】
また、再生装置側でのストリームデータの管理処理と、ＡＶ装置側でのブックマーク処理とがそれぞれ独立して行われるので、両者の処理が干渉して処理が混乱するといった不都合も生じない。また、再生装置がネットワークから外されていたり、再生装置側でストリームデータの削除が行われていても、その結果をブックマークの処理に適宜反映させてユーザに知らせることが出来る。
【発明を実施するための最良の形態】
【００２０】
以下、本発明の実施の形態を図面に基づいて説明する。
【００２１】
図１は、本発明の実施の形態のＡＶ装置としてのデジタルテレビの構成図、図２はこのデジタルテレビが接続されているＡＶシステムの構成図である。
【００２２】
この実施の形態のデジタルテレビ１は、複数のＡＶ機器とシリアルバス接続可能な例えばＩＥＥＥ１３９４インターフェースを備えており、例えば、再生装置としてのＨＤＤレコーダ５１やＡＶ−ＨＤＤ５２など、番組放送をデジタルで録画再生するＡＶ機器と相互接続されている。そして、上記インターフェースを介してストリームデータを受信して、これに基づく映像出力と音声出力とを行うようになっている。
【００２３】
このデジタルテレビ１には、操作入力手段としてリモートコントローラ（以下、リモコンと呼ぶ）２が付属され、このリモコン２を介した操作入力により、デジタルテレビ１の動作制御やブックマークに関する操作、ならびに、デジタルテレビ１を介した外部の録画再生機器５１，５２の動作制御を行うことが可能になっている。
【００２４】
図１に示されるように、デジタルテレビ１は、装置の全体的な制御を行う制御手段としてのコントローラ１１と、映像データや音声データの処理を行ってディスプレイに表示信号を出力するビデオ処理部１２と、例えばプラズマディスプレイなど映像出力を行う表示部１３と、ＩＥＥＥ１３９４規格の信号処理およびデータ処理を行うインターフェース部１４と、ユーザからの指示操作を受け付ける操作入力部１５等を備えている。
【００２５】
上記のコントローラ１１には、プログラムを実行するＣＰＵ、制御データや制御プログラムを格納した不揮発性記憶装置、ＣＰＵに作業用のメモリ空間を提供するＲＡＭ、電源がオフされても残しておきたいデータを格納する記憶手段としての不揮発性メモリなどが備わっている。このうちＣＰＵや不揮発性記憶装置に格納された制御プログラムにより、情報生成機能、一覧表示制御機能、第１の制御機能、第２の制御機能が構成される。また、上記の操作入力部１５にはリモコン２からの信号を入力する受光部１５ａが設けられている。
【００２６】
上記のデジタルテレビ１においては、ＩＥＥＥ１３９４規格に準じたインターフェース部１４およびコントローラ１１のデータ処理により、インターフェース部１４を介して接続された外部の録画再生機器５１，５２との間で、ＩＥＥＥ１３９４規格の通信またはその上位プロトコル（AVCプロトコルやIEC61883）による通信が可能になっている。そして、この通信により外部の録画再生機器５１，５２にコマンドを送信してこれらの録画再生機器５１，５２から各種の情報を取得したり、あるいは、これらの録画再生機器５１，５２から指定したストリームデータを転送させることが可能になっている。
【００２７】
次に、上記構成のデジタルテレビ１により実行されるブックマークに関する処理について、図３と図４のフローチャートを参照しながら説明する。
【００２８】
図３は、コントローラ１１により実行されるブックマーク設定処理のフローチャートである。
【００２９】
ブックマーク設定処理は、デジタルテレビ１において録画番組の再生出力を行っているときに、例えば、リモコン２の操作によりブックマークの設定メニューが選択されたこと（第１の指令）により開始される。なお、リモコン２にブックマーク設定用の専用ボタンを設けておき、このボタンが押された場合に開始されるようにしても良い。
【００３０】
このブックマーク設定処理が開始されると、先ず、ステップＳ１において、現在再生中の映像をキャプチャしてその画像データをＲＡＭの作業領域に格納する。この画像データは、ブックマークの一覧表示の際に、ブックマークを表わすサムネイルとして使用されるものであり、適宜な大きさに縮小されて格納される。
【００３１】
次いで、ステップＳ２において、現在再生中の映像がどの録画再生機器から転送されているものかを確認し、その機器の識別情報、並びに、メーカ名やモデル名を読み出してＲＡＭの作業領域に格納する。ここで具体的には、機器の識別情報としては、工場出荷前から各機器に一義的に付与されているＧＵＩＤを用いる。また、これらＧＵＩＤ、メーカ名、モデル名のデータは、システムに機器が接続された際に、予め、各機器が相互に送受信しあって各機器内に記憶されているものである。従って、ステップＳ２では、コントローラ１１に記憶されている各機器の個別情報の中から、ストリームデータの転送元として現在接続されている機器のデータを抽出してＲＡＭに格納する。
【００３２】
次に、ステップＳ３において、再生中の映像番組（コンテンツ）の識別情報を取得してＲＡＭの作業領域に格納する。ここで具体的には、映像番組の識別情報としては、ＩＥＥＥ１３９４の上位プロトコルを用いて行われるポイント−ポイントコネクションにおいて、仮想的なソースプラグに割り当てられているオブジェクトのＩＤを用いる。また、この映像番組の識別情報に加えて、該映像番組の記録日時や録画時間などの情報も取得してＲＡＭに格納する。
【００３３】
次に、ステップＳ４において、現在の映像の再生時点（時・分・秒）を確認してＲＡＭに格納する（ステップＳ４）。この再生時点の情報は、例えば、ストリームデータに付随されているタイムスタンプの情報から取得したり、このタイムスタンプに基づきデジタルテレビ１内でカウントされている再生時間のデータから取得することが出来る。
【００３４】
上記の４つの情報が得られたら、続くステップＳ５において、ステップＳ１で取得した画像データ、ステップＳ２で取得した録画再生機器の識別情報等、ステップＳ３で取得した映像番組の識別情報等、ステップＳ４で取得した再生時点の情報を、それぞれまとめて１組のブックマーク情報として生成し、このブックマーク情報を不揮発性メモリに格納する。
【００３５】
ブックマーク情報を格納したら、ステップＳ６において、サムネイルの設定変更処理を行う。通常は、ステップＳ１で取得した画像データがステップＳ５で記憶させたブックマーク情報にサムネイル画像として格納されるが、ステップＳ６において、一定時間だけ、サムネイルの変更処理を受け付ける。ここでサムネイルの設定の操作が行われた場合には、ここで取得した画像データをブックマーク情報に含まれている画像データと入れ替える。そして、このブックマーク設定処理を終了する。
【００３６】
図４には、コントローラ１１により実行されるブックマーク再生処理のフローチャートを示す。
【００３７】
ブックマークの再生処理は、ユーザがリモコン２を操作してブックマークの表示メニューを選択すること（第２の指令）で開始される。このブックマーク再生処理が開始されると、先ず、ステップＳ１１において、不揮発性メモリに格納されている全てのブックマーク情報を読み出して、ブックマークが付けられている番組を記録している録画再生機器の検索処理を行う。この検索処理では、先ず、コントローラ１１に記憶されている接続機器の情報の中に、対象の録画再生機器があるかを確認する。その結果、対象の録画再生機器が見つからなかった場合には、その録画再生機器に対応づけられたブックマーク情報に再生不可能を示す第１フラグを有効にする。次に、ブックマーク情報に示された各録画再生機器に、それぞれ電源状態の問い合わせをＩＥＥＥ１３９４のコマンドを用いて行う。対象の録画再生機器の電源がオフになっている場合には、ＩＥＥＥ１３９４の電源オンのコマンドを発行してこの録画再生機器の電源をオンにする。
【００３８】
録画再生機器の検索処理が済んだら、続くステップＳ１２において、ブックマークが付けられている番組のストリームデータが存在しているか確認する。この確認は、対象の録画再生機器からＩＥＥＥ１３９４の上位プロトコルを用いて録画番組の情報を読み込んで、その中に、ブックマーク情報に含まれる映像番組のＩＤがあるかどうかチェックすることで行う。その結果、映像番組のストリームデータが存在しなければ、その映像番組のブックマーク情報に再生不可能を示す第１フラグと、存在せずを示す第２フラグとの両方を有効にする。
【００３９】
上記ステップＳ１１とステップＳ１２の結果、録画再生機器が見つからなかったブックマーク情報については再生不可能のフラグが有効にされ、録画再生機器はあるが対象の番組が保存されていないブックマーク情報については、再生不可能のフラグと、存在せずのフラグが共に有効にされる。
【００４０】
ステップＳ１１とステップＳ１２の処理が終ったら、続くステップＳ１３において、記録されている全てのブックマーク情報を一覧形式で表わすブックマークの一覧表示を行う。一覧表示中の各ブックマークを示す欄には、その設定時に取得した画像データによりサムネイル表示を付して表示する。その他、録画日時や再生時点の情報を付加しても良いし、番組タイトルなどの情報も取得できる場合には、番組タイトルの情報を付加しても良い。
【００４１】
また、この一覧表示において、再生不可能のフラグが有効になっているブックマークについては、そのサムネイル表示や文字、記号等の表示を薄くすることで、再生不可能なことをユーザが認識できるようにする。
【００４２】
このステップＳ１３の後は、ユーザの操作に応じて所定の処理を行うイベントドリブン型のプロセスに移行する。そして、ユーザがリモコン２のカーソルボタンや決定ボタンを操作して一覧表示内の何れかのブックマークを選択すると、ステップＳ１４の処理に移行する。
【００４３】
ステップＳ１４では、選択されたブックマークに対して可能な操作内容を記号等により表示する。例えば、再生可能なブックマークであれば、「再生、ブックマークの削除、キャンセル」のボタン表示を、このブックマークの表示欄内、或いは画面の一部に出力する。また、選択されたブックマークが、そのブックマーク情報において存在せずのフラグが有効になっているものであった場合には、「削除」のボタン表示と、ブックマークの削除を促すメッセージ表示とを行う。
【００４４】
なお、一覧表示でブックマークを選択する際に、カーソルボタンで任意のブックマークにフォーカスを移した際、このブックマークが存在せずのものである場合に、決定ボタンが押されてこのブックマークの選択が確定される前であっても、削除を促すメッセージの表示を出力するようにしても良い。
【００４５】
ステップＳ１４での操作内容の表示の後、ユーザがリモコン２を操作して表示された操作内容の何れかに対応する操作をすると、ステップＳ１５に移行して、この操作に対応するコマンドをインターフェース部１４を介して対象の録画再生機器に送信し、その動作を開始させる。例えば、再生指示の操作であれば、ブックマーク情報に示される映像番組をブックマーク情報に示される再生時点からの再生させるコマンドを発行して、この再生時点からのストリームデータを転送させ、それを表示出力させる。また、削除の操作であれば、不揮発性メモリに格納してあるブックマーク情報のうち対応のものを削除する。ブックマーク情報のリストからも対応のブックマークの情報を削除する。また、キャンセルの操作であれば、再びステップＳ１３の選択の処理に戻って、選択処理を再度繰り返す。
【００４６】
以上のように、この実施の形態のデジタルテレビ１によれば、インターフェースを介して接続された外部の録画再生機器５１，５２からストリームデータを転送させてその映像番組を視聴している際、リモコン操作により所望の再生位置でブックマークを設定して記録しておくことが出来る。また、記録しておいたブックマークの一覧表示を行わせ、何れかのブックマークを選択してそこからの映像再生を行わせることが出来る。
【００４７】
また、ブックマーク情報の記録などブックマークの管理はデジタルテレビ１の内部で独立して行われるので、再生装置側のストリームデータの管理に干渉して両者の処理が混乱するということがない。また、録画再生機器がネットワークから外されていたり、再生装置側でストリームデータが削除されていた場合には、ブックマークの一覧表示においてそのことが示されるので大変便利である。
【００４８】
なお、本発明は、上記実施の形態に限られるものではなく、様々な変更が可能である。例えば、上記実施の形態では、本発明をデジタルテレビに適用した例を示したが、ＡＶ機器を集中的にコントロールして外部接続された表示装置に映像出力を行わせるセットトップボックスなどに適用することも出来るし、その他、映像の再生制御を行うことのできる種々のＡＶ機器に適用することが出来る。
【００４９】
また、上記実施の形態では、ストリームデータを送信する機器として録画再生を行う機器を例示したが、ＤＶＤプレーヤーなど再生のみ行う機器を同様に適用することも出来る。
【００５０】
その他、デジタルテレビの内部構成やブックマークに係る処理の流れなど、実施の形態で示した細部構成等は、発明の主旨を逸脱しない範囲で適宜変更可能である。
【図面の簡単な説明】
【００５１】
【図１】本発明の実施の形態のＡＶ装置としてのデジタルテレビの構成を示すブロック図である。
【図２】実施の形態のデジタルテレビが接続されているＡＶシステムを示す構成図である。
【図３】図１のコントローラにより実行されるブックマーク設定処理の流れを示すフローチャートである。
【図４】図１のコントローラにより実行されるブックマーク再生処理の流れを示すフローチャートである。
【符号の説明】
【００５２】
１      デジタルテレビ
２      リモコン（操作入力手段）
１１    コントローラ
１２    ビデオ処理モジュール
１３    ディスプレイ
１４    ＩＥＥＥ１３９４インターフェース部
１５    操作入力部
５１    ＨＤＤレコーダ
５２    ＡＶ−ＨＤＤ
【図１】
2006013935.tif 000003
【図２】
2006013935.tif 000004
【図３】
2006013935.tif 000005
【図４】
2006013935.tif 000006